(57)【特許請求の範囲】
【請求項１】
商品の購入者に対して、前記商品の少なくとも商品名、価格、および合計額が表示されたレシートと、前記商品の預り証を発行するレシート・預り証発行装置であって、
前記商品の商品画像を記憶する商品画像記憶部と、
前記レシートの発行時に、購入された前記商品のうちの少なくともいずれかの商品の前記商品画像を前記商品画像記憶部から抽出する商品画像抽出部と、
抽出された前記商品画像が印刷された前記預り証を前記レシートとともに印刷する印刷部と、を備え、
前記商品画像抽出部は、複数の前記商品が購入された場合に、当該商品の前記商品画像の中から識別性の高い前記商品画像を抽出することを特徴とするレシート・預り証発行装置。
【請求項２】
前記商品画像記憶部は、前記商品の価格および販売個数と関連付けて前記商品の商品画像を記憶し、
前記商品画像抽出部は、購入された複数の前記商品の中から、価格が最も高い商品、および、販売個数が最も少ない商品の少なくともいずれかを選択して当該商品の前記商品画像を抽出することを特徴とする請求項１に記載のレシート・預り証発行装置。
【請求項３】
前記商品画像抽出部は、購入された複数の前記商品の中から、前記購入者が指定した商品の前記商品画像を抽出することを特徴とする請求項１に記載のレシート・預り証発行装置。
【請求項４】
商品の購入者に対して、前記商品の少なくとも商品名、価格、および合計額が表示されたレシートと、前記商品の預り証を発行するレシート・預り証発行装置であって、
前記商品の商品画像を記憶する商品画像記憶部と、
前記レシートの発行時に、購入された前記商品のうちの少なくともいずれかの商品の前記商品画像を前記商品画像記憶部から抽出する商品画像抽出部と、
抽出された前記商品画像が印刷された前記預り証を前記レシートとともに印刷する印刷部と、を備え、
前記印刷部は、前記購入者用と、購入された前記商品を預かる担当者用の前記預り証を印刷することを特徴とするレシート・預り証発行装置。
【請求項５】
前記印刷部は、前記担当者用の前記預り証を、購入された前記商品の包装の表面に貼付可能なラベルに印刷することを特徴とする請求項４に記載のレシート・預り証発行装置。
【発明の詳細な説明】
【技術分野】
【０００１】
本発明は、レシート・預り証発行装置に関する。より詳しくは、商品の購入者に対して、前記商品の商品名、価格、および合計額が表示されたレシートと、当該購入者が購入した商品の預り証を発行することのできるレシート・預り証発行装置に関する。
【背景技術】
【０００２】
小売店において商品を購入した際に、購入商品の外観をレシートに印刷することのできるレシート発行装置が知られている（例えば特許文献１参照）。また、購入商品と関連のある商品を抽出してその画像をレシートに印刷することのできるレシート発行装置も知られている（例えば特許文献２参照）。
【先行技術文献】
【特許文献】
【０００３】
【特許文献１】特開２００５−１６５５５０号公報
【特許文献２】特開２００６−１７２３０９号公報
【発明の概要】
【発明が解決しようとする課題】
【０００４】
ところで、空港の免税店では、購入者の利便性や免税品の取り扱いに配慮して、購入した免税品を購入と同時には購入者に渡さずに飛行機搭乗前に渡す場合がある。このような場合、購入した免税品が例えば中身の見えない袋に入れられると、免税品を購入者に引き渡す際に、購入者が持参したレシートに印字された品名と店員の記憶などを頼りに引き渡すこととなる。
【０００５】
したがって、品名や数量の確認に時間がかかるだけでなく、ありふれた商品名の場合には誤って別の購入者に渡してしまうなどの事故が起きやすいという課題があった。また、このような課題は、通常の小売店や百貨店において、顧客が購入した商品を一時的に預かって店内での全ての買い物を終えてから引き渡すサービスなどにおいても同様に起こり得る。
【課題を解決するための手段】
【０００６】
上記課題を解決することを目的とし、本発明は、商品の購入者に対して、前記商品の少なくとも商品名、価格、および合計額が表示されたレシートと、前記商品の預り証を発行するレシート・預り証発行装置であって、前記商品の商品画像を記憶する商品画像記憶部と、前記レシートの発行時に、購入された前記商品のうちの少なくともいずれかの商品の前記商品画像を前記商品画像記憶部から抽出する商品画像抽出部と、抽出された前記商品画像が印刷された前記預り証を前記レシートとともに印刷する印刷部と、を備えることを特徴とするレシート・預り証発行装置を提供する。
【０００７】
このような装置によれば、商品購入時に、購入商品の商品画像が印刷された預り証がレシートとともに発行されるので、購入者に購入商品を一時預かってから引き渡す場合でも、預り証に印刷された商品画像を見ながら引き渡す商品を確認することができる。したがって、別の購入者の商品を誤って渡すなどの事故が起きにくい。
【０００８】
また、上記レシート・預り証発行装置において、前記商品画像抽出部は、複数の前記商品が購入された場合に、当該商品の中から識別性の高い前記商品画像を抽出することが好ましい。また、前記商品の価格および販売個数と関連付けて前記商品の商品画像を前記商品画像記憶部に記憶させるとともに、前記商品画像抽出部は、購入された複数の前記商品の前記商品画像の中から、価格が最も高い商品、および、販売個数が最も少ない商品の少なくともいずれかを選択して当該商品の前記商品画像を抽出することがより好ましい。
【０００９】
このように、他の購入者が購入している商品と重複しにくい商品の商品画像が預り証に印刷されることにより、購入者に購入商品を引き渡す際の預り証による確認がより正確かつ容易となる。
【００１０】
また、上記レシート・預り証発行装置において、前記商品画像抽出部は、購入された複数の前記商品の中から、前記購入者が指定した商品の前記商品画像を抽出してもよい。
【００１１】
これにより、購入者に購入商品を引き渡す際に、購入者は自身が指定した商品の画像が印刷された預り証を見ながら購入商品を探すことができるので、購入商品をより容易に探し出すことができる。
【００１２】
また、上記レシート・預り証発行装置において、前記印刷部は、前記購入者用と、購入された前記商品を預かる担当者用の前記預り証を印刷することが好ましい。
【００１３】
これにより、例えば購入者と商品を預かる保管担当者の預り証を付き合わせて確認することで、商品の引き渡し時の取り間違いをより確実に防止することができる。また、購入者が預り証を紛失した場合でも、保管担当者は、購入者のレシートなどから保管している預り証を特定して購入者の購入商品を容易に探し出すことができる。
【００１４】
また、上記レシート・預り証発行装置において、前記印刷部は、前記担当者用の前記預り証を、購入された前記商品の包装の表面に貼付可能なラベルに印刷することが好ましい。
【００１５】
これにより、購入者から商品を預かった際に保管担当者が預り証を商品の包装の表面に貼り付けておくことで、購入者に購入商品を引き渡す際に、商品をより容易に探し出すことができる。
【００１６】
また、上記レシート・預り証発行装置において、前記印刷部は、前記購入者用の前記預り証を、前記レシートと一体に印刷してもよい。
【００１７】
これにより、購入者が預り証を紛失しにくい。
【００１８】
本発明は、他の形態として、コンピューターと、通信回線を介して前記コンピューターに接続されたレシート・預り証発行装置とを備え、商品の購入者に対して、前記商品の少なくとも商品名、価格、および合計額が表示されたレシートと、前記商品の預り証を発行するレシート・預り証発行システムであって、前記コンピューターは、前記商品の商品画像を記憶する商品画像記憶部と、前記レシートの発行時に、購入された前記商品のうちの少なくともいずれかの商品の前記商品画像を前記商品画像記憶部から抽出する商品画像抽出部と、を備え、前記レシート・預り証発行装置は、抽出された前記商品画像が印刷された預り証を前記レシートとともに印刷する印刷部、を備えることを特徴とするレシート・預り証発行システムを提供する。
【図面の簡単な説明】
【００１９】
【図１】本発明の実施形態に係るレシート・預り証発行システム１０の外観斜視図である。
【図２】レシート・預り証発行システム１０における各部の内部構成を示す機能ブロック図である。
【図３】レシート１０００の一例である。
【図４】商品保管担当者用の預り証（商品預り証）１０１０−Ａの一例である。
【図５】商品購入者用の預り証（商品引換証）１０１０−Ｂの一例である。
【図６】レシート・預り証発行システム１０によるレシート１０００および預り証１０１０−Ａ，１０１０−Ｂ発行までの動作の一例を示すフローチャートである。
【発明を実施するための形態】
【００２０】
以下、添付図面に基づいて本発明の一実施形態について説明するが、以下の実施形態は特許請求の範囲にかかる発明を限定するものではなく、また、実施形態における特徴の組み合わせの全てが発明の解決手段に必須であるとは限らない。
【００２１】
図１は、本発明の実施形態に係るレシート・預り証発行システム１０の外観斜視図である。本実施形態のレシート・預り証発行システム１０は、商品の購入者に対して、購入した商品の商品名、価格、および合計額が表示されたレシート１０００と、購入者が商品の一時預かりを希望する場合に購入した商品の預り証１０１０を発行することのできるシステムであって、レシート・預り証発行装置１００と、操作端末２００と、表示装置３００と、キャッシュドロワ４００と、バーコードスキャナー５００とを備える。
【００２２】
レシート・預り証発行装置１００は、インターフェース部（入力Ｉ／Ｆ）１１０、制御部１２０、記憶部１３０、および印刷部１４０を有する。また、操作端末２００は、インターフェース部（入力Ｉ／Ｆ）２１０、操作部２２０、制御部２３０、ロック解除電流供給部２４０、および開閉電流供給部２５０を有する。また、キャッシュドロワ４００は、ロック機構４１０、開閉駆動機構４２０、およびドロワトレイ４３０を有する。
【００２３】
インターフェース部２１０は、ネットワーク経由で管理サーバーと接続するネットワークインターフェースと、表示装置３００およびバーコードスキャナー５００と接続するデバイスインターフェースとを含む。インターフェース部２１０は、管理サーバーとの間で各種データの送受信を行うとともに、表示装置３００への表示情報（画像データ）の出力や、バーコードスキャナー５００で商品のバーコードなどを読み取ったデータの入力などを担う。
【００２４】
操作部２２０は、購入された商品の商品名や価格、および数量を店員が入力するための複数の操作ボタンを含む。また、本例では、操作部２２０は、購入者が購入した商品の一時預かりを希望する場合に購入した商品の預り証の印刷を店員がレシート・預り証発行装置１００に指示するためのボタンや、預り証に画像を印刷する商品を購入者が指定した場合にその商品を店員がレシート・預り証発行装置１００に指示するためのボタン、更には、キャッシュドロワ４００のドロワトレイ４３０を開くためのボタンなども含まれる。なお、商品に印字されたバーコードを店員がバーコードスキャナー５００で読み取ることにより操作端末２００側で購入された商品の商品名や価格を判別できる場合には、操作部２２０は、必ずしも商品の商品名や価格を入力するボタンを含まなくてもよい。
【００２５】
制御部２３０は、操作端末２００の各部を制御するとともに、管理サーバーからインターフェース部２１０を介して入力される各種の情報に基づいて表示装置３００へ表示させるべき画像情報を生成し、インターフェース部２１０を介して表示装置３００へ出力する。
【００２６】
また、制御部２３０は、操作部２２０への操作入力およびバーコードスキャナー５００により商品のバーコードを読み取ったデータに基づいて購入された商品の商品名、価格、および合計額などのレシート１０００に印刷すべき情報（以下、「レシート情報」と称する）を生成し、当該レシート情報をレシート１０００の印刷命令とともにインターフェース部２１０を介して印刷部１４０に出力する。なお、制御部２３０は、購入された商品の商品名、価格、および合計額などの情報や、管理サーバーからインターフェース部２１０を介して入力される情報などを記憶する記憶部を有してもよい。
【００２７】
また、制御部２３０は、操作部２２０からキャッシュドロワ４００のドロワトレイ４３０を開くべき旨の操作入力が行われたことに応じて、ロック解除電流供給部２４０に対して、ドロワトレイ４３０のロックを解除するための電流をキャッシュドロワ４００のロック機構４１０へ供給させるとともに、開閉電流供給部２５０に対して、ドロワトレイ４３０を開くための駆動電流を開閉駆動機構４２０へ供給させる。
【００２８】
キャッシュドロワ４００は、購入者から預かった現金や小切手あるいは釣銭などを収納するために設けられている。このキャッシュドロワ４００において、ロック機構４１０は、例えば、ソレノイドコイル、プランジャー、フック、およびバネなどで構成される。そして、ソレノイドコイルに対してロック解除電流供給部２４０から上記電流が供給されると、プランジャーがロック解除方向に移動してフックの係合部がドロワトレイ４３０から外れてロック状態が解除される。そして、ドロワトレイ４３０を開方向に付勢するバネの付勢力によって、ドロワトレイ４３０が開方向に押出される。また、このとき、開閉電流供給部２５０から開閉駆動機構４２０に対して上記駆動電流が供給されることにより開閉駆動機構４２０によってドロワトレイ４３０が完全に開放される。
【００２９】
レシート・預り証発行装置１００は、インターフェース部１１０、制御部１２０、記憶部１３０、および印刷部１４０を有する。インターフェース部１１０は、操作端末２００との間で各種データの送受信を行う。記憶部１３０は、本発明の商品画像記憶部として機能し、レシート・預り証発行システム１０が設置されている店舗において販売されている全ての商品の商品画像を商品名に関連付けて記憶している。また、本例では、記憶部１３０は、各商品の商品画像を、それぞれの商品の価格および販売個数とも関連付けて記憶している。
【００３０】
なお、制御部１２０は、所定のタイミングで管理サーバーなどから（操作端末２００経由で）販売されている商品の価格や販売個数などの最新の情報を取得して記憶部１３０が記憶している情報を更新してもよい。また、記憶部１３０は、印刷部１４０を制御するためのドライバーなど各種の制御プログラムなどを記憶してもよい。
【００３１】
制御部１２０は、レシート・預り証発行装置１００の各部を制御するとともに、操作端末２００からレシート１０００の印刷命令およびレシート情報がインターフェース部１１０を介して入力されると、印刷部１４０にレシート１０００を印刷させるための印刷データを生成して印刷部１４０へ出力する。
【００３２】
また、制御部１２０は、本発明の商品画像抽出部として機能し、レシート１０００の印刷命令とともに預り証１０１０を印刷すべき旨の印刷命令がインターフェース部１１０を介して入力されると、レシート情報に含まれる商品（購入された商品）のうちの少なくともいずれかの商品の商品画像を記憶部１３０に記憶されている商品画像の中から抽出する。
【００３３】
本例では、制御部１２０は、レシート情報に複数の商品が含まれる場合、すなわち、複数の商品が購入された場合に、当該商品の前記商品画像の中からより識別性の高い商品画像を抽出する。より具体的には、制御部１２０は、例えば、購入された複数の商品について、その販売個数を記憶部１３０から取得し、購入した商品の中で販売個数が最も少ない商品を特定する。そして、制御部１２０は、その商品の商品画像を預り証１０１０に印刷すべき商品画像として記憶部１３０から抽出する。
【００３４】
また、制御部１２０は、購入された商品の中に販売個数が最も少ない商品が複数有る場合は、それらの商品の販売価格を記憶部１３０から取得し、それらの商品の中で価格が最も高い商品を特定する。そして、制御部１２０は、その商品の商品画像を預り証１０１０に印刷すべき商品画像として記憶部１３０から抽出する。
【００３５】
そして、制御部１２０は、購入された商品の商品名、購入数量、および、抽出した上記商品画像に基づいて、印刷部１４０に預り証１０１０を印刷させるための印刷データを生成して印刷部１４０へ出力する。
【００３６】
印刷部１４０は、例えば、ロール用紙がストックされているロール用紙ストッカーと、キャリッジ、プリントヘッド、およびインクタンクなどで構成され、制御部１２０から入力される印刷データに基づいて、レシート１０００を印刷する。また、印刷部１４０は、制御部１２０から預り証１０１０の印刷データ入力された場合は、レシート１０００とともに預り証１０１０を印刷する。
【００３７】
ここで、本例の印刷部１４０は、預り証１０１０として、購入された商品を預かる保管担当者用の預り証（商品預り証）１０１０−Ａと、購入者用の預り証（商品引換証）１０１０−Ｂの２枚を印刷する。
【００３８】
図３は、レシート１０００の一例である。また、図４は、商品保管担当者用の商品預り証１０１０−Ａの一例であり、図５は、商品購入者用の商品引換証１０１０−Ｂの一例である。本例のレシート・預り証発行システム１０では、例えば、１５ドルのチョコレート１箱、１２ドルのクッキー２箱、２０ドルのワイン１本、および９５ドルのブランデー１本を購入すると、レシート・預り証発行装置１００によって図３に示すレシート１０００が印刷されるとともに、図４に示す商品預り証１０１０−Ａと、図５に示す商品引換証１０１０−Ｂが印刷される。
【００３９】
ここで、商品預り証１０１０−Ａと商品引換証１０１０−Ｂの下部には、購入した商品の中で販売個数が最も少なく、かつ、価格が最も高いブランデーの商品画像が印刷される。また、本例では、印刷部１４０は、商品預り証１０１０−Ａを、購入された商品の包装の表面に貼付可能なラベルに印刷する。なお、印刷部１４０は、レシート１０００と商品引換証１０１０−Ｂとを一体に印刷してもよい。
【００４０】
このように、本実施形態に係るレシート・預り証発行システム１０によれば、商品購入時に、購入商品の商品画像が印刷された預り証１０１０がレシート１０００とともに発行されるので、購入者に購入商品を一時預かってから引き渡す場合でも、預り証１０１０に印刷された商品画像を見ながら引き渡す商品を確認することができる。したがって、別の購入者の商品を誤って渡すなどの事故が起きにくい。
【００４１】
また、預り証１０１０には、購入した商品の中で販売個数が最も少ない商品や、価格が最も高い商品などの、他の購入者が購入している商品と重複しにくい商品の商品画像が印刷されているので、購入者に購入商品を引き渡す際の預り証１０１０による確認がより正確かつ容易となる。
【００４２】
また、預り証１０１０として保管担当者用の商品預り証１０１０−Ａと購入者用の商品引換証１０１０−Ｂが発行されるので、購入者が商品の引取時に持参した商品引換証１０１０−Ｂと保管担当者が保管している商品預り証１０１０−Ａとを付き合わせて確認することで、購入者に商品を引き渡す際に取り間違いを防止することができる。また、購入者が商品引換証１０１０−Ｂを紛失した場合でも、保管担当者は、購入者のレシート１０００などから保管している商品預り証１０１０−Ａを特定して購入者の購入商品を容易に探し出すことができる。
【００４３】
また、購入された商品の包装の表面に貼付可能なラベルとして商品預り証１０１０−Ａが印刷されるので、商品預り証１０１０−Ａを例えば商品が入った袋の表面に貼り付けておくことで、購入者に購入商品を引き渡す際に、商品を容易に探し出すことができる。また、レシート１０００と商品引換証１０１０−Ｂとを一体に印刷すれば、購入者が商品引換証１０１０−Ｂを紛失しにくい。
【００４４】
図６は、レシート・預り証発行システム１０によるレシート１０００、商品預り証１０１０−Ａ、および商品引換証１０１０−Ｂ発行までの動作の一例を示すフローチャートである。
【００４５】
本フローでは、まず、購入するためにレジに持ち込まれた商品のバーコードをバーコードスキャナー５００で読み取るとともに、各商品の購入数量を操作端末２００の操作部２２０から入力することにより、購入された各商品の商品名、数量、および価格などの情報がレシート・預り証発行装置１００に送られる（ステップＳ１００）。
【００４６】
次に、購入商品の代金がキャッシュドロワ４００に収納されるとともに、購入された商品の商品名、価格、および合計額が表示されたレシート１０００がレシート・預り証発行装置１００によって印刷される（ステップＳ１０５）。
【００４７】
そして、購入者が購入した商品の一時預かりを希望する場合には（ステップＳ１１０：ＹＥＳ）、購入された商品が１種類の場合には（ステップＳ１２０：ＮＯ）、レシート・預り証発行装置１００において購入商品の商品画像が抽出され（ステップＳ１３０）、その商品画像が印刷された商品預り証１０１０−Ａおよび商品引換証１０１０−Ｂが発行される（ステップＳ１４０）。
【００４８】
なお、ステップＳ１１０において、購入者が購入した商品をそのまま持ち帰る場合（商品の一時預かりを希望しない場合）には（ステップＳ１１０：ＮＯ）、商品預り証１０１０−Ａおよび商品引換証１０１０−Ｂは印刷されず、本フローは終了する。
【００４９】
次に、ステップＳ１２０において、購入された商品が２種類以上ある場合には（ステップＳ１２０：ＹＥＳ）、商品預り証１０１０−Ａおよび商品引換証１０１０−Ｂに画像を印刷する商品を購入者が指定すれば（ステップＳ１５０：ＹＥＳ）、レシート・預り証発行装置１００において購入者が指定した商品の商品画像が抽出され（ステップＳ１６０）、その商品画像が印刷された商品預り証１０１０−Ａおよび商品引換証１０１０−Ｂが発行される（ステップＳ１４０）。
【００５０】
次に、ステップＳ１５０において、購入者による指定がなければ（ステップＳ１５０：ＮＯ）、レシート・預り証発行装置１００において、購入された商品の中から販売個数が最も少ない商品を、商品預り証１０１０−Ａおよび商品引換証１０１０−Ｂに画像を印刷する商品として特定する。また、購入された商品の中に販売個数が最も少ない商品が複数有る場合は、それらの商品の中で価格が最も高い商品を、商品預り証１０１０−Ａおよび商品引換証１０１０−Ｂに画像を印刷する商品として特定する（ステップＳ１７０）。そして、特定された商品の商品画像が抽出され（ステップＳ１８０）、その商品画像が印刷された商品預り証１０１０−Ａおよび商品引換証１０１０−Ｂが発行される（ステップＳ１４０）。
【００５１】
以上、本発明をその実施形態を用いて説明したが、本発明の技術的範囲は上記実施形態に記載の範囲には限定されない。上記実施形態に多様な変更または改良を加えることができることは、当業者にとって明らかである。例えば、上記のレシート・預り証発行システム１０では、レシート・預り証発行装置１００に本発明の商品画像抽出部として機能する制御部１２０および本発明の商品画像記憶部として機能する記憶部１３０が設けられているが、例えば操作端末２００の制御部２３０を本発明の商品画像抽出部として機能させるとともに、操作端末２００に商品画像記憶部として機能する記憶部を設けてもよい。
【００５２】
また、上記のレシート・預り証発行システム１０では、購入された商品の販売個数および販売価格などから預り証１０１０に印刷すべき商品画像を一つに絞っているが、これに限られず、複数の商品画像を預り証１０１０に印刷してもよい。そして、この場合、制御部１２０は、例えば、購入された商品の中から販売個数が少ない順あるいは販売価格が高い順に複数（例えば３つ）の商品を特定してその商品画像を預り証１０１０に印刷すべき商品画像として記憶部１３０から抽出してもよい。
【００５３】
また、制御部１２０は、例えば、購入された商品の販売個数および販売価格などの指標毎に順位付けしてポイント（得点）を与え、全ての指標のポイントの合計が最も高い商品あるいは当該商品を含む複数の商品を特定してその商品画像を預り証１０１０に印刷すべき商品画像として記憶部１３０から抽出してもよい。
【符号の説明】
【００５４】
１０…レシート・預り証発行システム、１００…レシート・預り証発行装置、１１０…インターフェース部、１２０…制御部（商品画像抽出部）、１３０…記憶部（商品画像記憶部）、１４０…印刷部、２００…操作端末、２１０…インターフェース部、２２０…操作部、２３０…制御部、２４０…ロック解除電流供給部、２５０…開閉電流供給部、４００…キャッシュドロワ、４１０…ロック機構、４２０…開閉駆動機構、４３０…ドロワトレイ、５００…バーコードスキャナー、１０００…レシート、１０１０…預り証
【図１】
0005691546.tif 000002
【図２】
0005691546.tif 000003
【図３】
0005691546.tif 000004
【図４】
0005691546.tif 000005
【図５】
0005691546.tif 000006
【図６】
0005691546.tif 000007